(57)【要約】      （修正有）【課題】顔の目の領域のためのパーソナルケア噴霧装置を提供する。【解決手段】装置１０の内部に形成されるトリートメントチャンバは、装置が顔の目の領域を覆うように配置されたときに使用者の目の周り及び周囲の顔の領域を囲む。柔らかいジェルのアイマスク要素は、トリートメントの間、着用者に最大の快適さを提供する。装置は、トリートメントチャンバに治療的なミスト又は霧を導入する。ミスト又は霧は、単なる水又は他の治療的な添加物が混合された水を含む内部の容器から発生される。内蔵の送風機が、トリートメントチャンバへのミスト又は霧の流量を制御する。装置内の一以上の内蔵の加熱要素は、トリートメントチャンバの壁に直接熱を提供するか、及び／又は、トリートメントチャンバに導入される前にミスト又は霧を加熱する。内蔵の振動発生器は、駆動されたときに、使用者の顔へ穏やかなマッサージ振動を適用する。【選択図】図１
2015037531.tif 000002
【特許請求の範囲】
【請求項１】
人間の顔の目の領域のための噴霧装置であって、
フロントカバーにより規定されるメインハウジング及びこれに対向して形成されるトリートメントチャンバと、
前記メインハウジングに含まれる液体チャンバと、
前記液体チャンバに流体連結するミスト発生装置と、
前記ミスト発生装置と、前記トリートメントチャンバを規定する壁に形成される少なくとも一つの穴とを相互に連結するミスト導管と、
前記トリートメントチャンバの外側面に配置される柔軟なガスケット部材であって、人間の使用者の顔の目の領域を囲むように合わせて成型されることで、前記使用者の目が前記トリートメントチャンバと流体連結するガスケット部材と、を備える噴霧装置。
【請求項２】
一以上のマッサージモータが前記トリートメントチャンバに取り付けられ、
それぞれのマッサージモータは、駆動されると前記トリートメントチャンバ内で振動動作を発生させる請求項１に記載の噴霧装置。
【請求項３】
前記トリートメントチャンバに近接して位置し、前記メインハウジング内に位置する加熱要素をさらに含み、
前記加熱要素を駆動することで、前記トリートメントチャンバの壁を加熱する請求項１に記載の噴霧装置。
【請求項４】
前記メインハウジング内に前記ミスト導管に沿って位置するミスト加熱要素をさらに含み、
前記ミスト加熱要素を駆動することで、前記ミスト加熱要素が前記ミスト導管及びミストを加熱する請求項１に記載の噴霧装置。
【請求項５】
前記フロントカバーはさらに、該フロントカバーに形成される液体高さ窓により規定され、
該液体高さ窓は、前記フロントカバーの透光性部分を含み、
前記液体高さ窓及び前記液体チャンバは協調して配置され、前記液体チャンバ内の液体を前記液体高さ窓を通じて見ることができる請求項１に記載の噴霧装置。
【請求項６】
前記液体チャンバは、該液体チャンバに形成される注ぎ口によって規定され、
該注ぎ口は、前記柔軟なガスケット部材から形成される注ぎ口蓋によって封止される請求項１に記載の噴霧装置。
【請求項７】
前記フロントカバーは注ぎアクセス開口によってさらに規定され、
該注ぎアクセス開口は、前記フロントカバーが前記トリートメントチャンバに取り付けられた際、前記注ぎアクセス開口を通して前記注ぎ口にアクセス可能なように配置される請求項１に記載の噴霧装置。
【請求項８】
前記トリートメントチャンバは、一対の目のチャンバを囲む弧状の面壁により形成され、
前記一以上のミスト穴は前記目のチャンバの上方の表面に位置する請求項１に記載の噴霧装置。
【請求項９】
前記注ぎ口蓋及び前記柔軟なガスケット部材は、単一で一体的な柔軟な素材の一部である請求項６に記載の噴霧装置。
【請求項１０】
前記メインハウジングから延びる頭部ストラップ要素をさらに含み、
該頭部ストラップ要素は、使用者の頭に前記装置を取り付けるために提供される請求項１に記載の噴霧装置。
【請求項１１】
使用者の顔の目の領域のための肌トリートメント装置であって、
前記使用者の目の領域に近接する位置に適合するように成型された後方ハウジング部材であって、該後方ハウジング部材は、内部に形成されるトリートメントチャンバによって規定され、該トリートメントハウジングの壁は、貫通して形成される一以上のミスト穴によって規定される後方ハウジング部材と、
前記後方ハウジング部材の上に取り付けられ、前記装置が使用者の目の領域上に着用されたときに、使用者の顔と前記後方ハウジング部材との間にある柔軟なガスケット部材と、
前記後方ハウジング部材に取り付けられる液体チャンバと、
前記液体チャンバに流体連結するミスト発生装置と、
前記ミスト発生装置及び前記一以上のミスト穴を相互に連結するミスト導管と、
前記ガスケット部材に対向して前記後方ハウジング部材に取り付けられるフロントカバーと、を備える肌トリートメント装置。
【請求項１２】
前記トリートメントチャンバは、弧状の形状を有する上部縁と、鼻用の窪みが形成される下部縁と、前記上部縁及び前記下部縁の間に形成される目のチャンバと、によって規定され、
前記目のチャンバの領域は、前記上部縁に隣接する上部壁、前記下部縁に隣接する下部壁、及び前壁及び側壁によって規定され、
前記柔軟なガスケット部材は、前記上部縁及び前記下部縁に取り付けられ、
前記一以上のミスト穴は、前記上部壁に形成される請求項１１に記載の肌トリートメント装置。
【請求項１３】
前記後方ハウジング部材に取り付けられる加熱要素をさらに含み、
該加熱要素は、前記トリートメントチャンバの前記前壁に近接して位置し、
前記加熱要素を駆動すると、前記トリートメントチャンバの前記前壁を加熱する請求項１２に記載の肌トリートメント装置。
【請求項１４】
前記後方ハウジング部材に一以上のマッサージモータが取り付けられ、
それぞれのマッサージモータは、回転するように駆動されると、前記後方ハウジング部材において振動する動きを発生させる請求項１３に記載の肌トリートメント装置。
【請求項１５】
前記フロントカバーは、内部に形成される液体高さ窓によってさらに規定され、
該液体高さ窓は、前記フロントカバーの透光性部分を含み、
前記液体高さ窓及び前記液体チャンバは協調して配置され、前記液体チャンバ内の液体を、前記液体高さ窓から見ることができる請求項１４に記載の肌トリートメント装置。
【請求項１６】
前記液体チャンバは、内部に形成される注ぎ口によってさらに規定され、
該注ぎ口は、前記柔軟なガスケット部材から形成される注ぎ口蓋によって封止される請求項１５に記載の肌トリートメント装置。
【請求項１７】
フロントカバーは、注ぎアクセス開口によってさらに規定され、
該注ぎアクセス開口は、前記フロントカバーが前記トリートメントチャンバに取り付けられたときに、前記アクセス開口を通して前記注ぎ口にアクセス可能になるように位置している請求項１６に記載の肌トリートメント装置。
【請求項１８】
前記注ぎ口蓋及び前記柔軟なガスケット部材は、単一の一体的な柔軟な部材の一部である請求項１７に記載の肌トリートメント装置。
【請求項１９】
前記後方ハウジング部材に前記ミスト導管に沿って取り付けられるミスト加熱要素をさらに含み、
前記ミスト加熱要素は、駆動することで前記ミスト導管及びここに位置するミストを加熱する請求項１２に記載の肌トリートメント装置。
【請求項２０】
着用可能な目のトリートメント装置であって、
使用者の目の領域に近接する位置に適合するように成型された後方ハウジング部材であって、該後方ハウジング部材は、内部に形成されるトリートメントチャンバによって規定され、該トリートメントハウジングの壁は、貫通して形成される一以上のミスト穴によって規定される後方ハウジング部材と、
前記後方ハウジング部材に取り付けられる一対のマッサージアセンブリであって、各マッサージアセンブリが、回転シャフトが延設された電気モータと、前記回転シャフトに取り付けられるオフセット重さ要素と、を有する一対のマッサージアセンブリと、
前記後方ハウジング部材の上に取り付けられ、前記装置が使用者の目の領域上に着用されたときに、使用者の顔と前記後方ハウジング部材との間にある柔軟なガスケット部材と、
前記後方ハウジング部材に取り付けられる液体チャンバと、
前記液体チャンバと流体連結するミスト発生装置と、
前記ミスト発生装置及び前記一以上のミスト穴を相互に連結するミスト導管と、
前記後方ハウジング部材に取り付けられ、駆動されたときに、前記後方ハウジング部材及び前記ミスト導管に熱を提供する加熱要素と、
前記ガスケット部材に対向して前記後方ハウジング部材に取り付けられるフロントカバーと、
前記後方ハウジング部材の反対側から延びる頭部ストラップと、を備える目のトリートメント装置。
【発明の詳細な説明】
【技術分野】
【０００１】
この出願は、２０１３年５月８日に出願された米国仮出願番号６１／８２１，０８９から一年以内に出願され、優先権を主張する。
【０００２】
この出願は、現在継続中で、２０１３年６月１１日に出願された一部継続の出願番号２９／４５７，５６０である。この出願は、さらに、現在継続中で、２０１２年３月６日に出願された一部継続の出願番号１３／４１３，４９１、及び、２００８年３月２７日に出願番号１２／０７９，７４７として出願され、現在特許となっている登録番号８，１５７，７５３（特許出願）である。
【０００３】
本発明は、主に個人用のスキンケア装置及び方法であり、より詳細には、顔の目の領域用パーソナルケア噴霧装置である。
【背景技術】
【０００４】
肌のトリートメント（処置）の装置は、多く存在する。この分野における従来の装置及びシステムのいつくかの適切な例としては、メール・サー等の米国特許６，０９０，０８５、ウォーカーの米国特許５，０９８，４１４、及びブリアンの米国特許４，６１６，１２２がある。
【０００５】
メールは「肌の潤い及びバッファ装置」である。メールのシステムは、手で持てる顔用のバッファを結合している。顔用バッファは、「移動可能な肌接触アセンブリ」（顔バッファ頭部）を通して放出する蒸気の流れを作り出す内部の蒸気発生器を有する。メールの装置は、手で持つことのできる蒸気バッファを提供しているものの、使用者が冷たい噴霧又は加熱された蒸気を、バッファ頭部を通して放出することを選択するようにできていない。さらに、使用可能な噴霧量は、パッケージ全体が手で持てる寸法であるために、厳しく制限されている。加熱された蒸気又は冷たい噴霧のいずれをも放出することの可能な大きな容量の液体容器を設けた装置は、使用者にとって大きな便益をもたらす。
【０００６】
ウォーカーは「美容肌トリートメント用蒸気装置」である。ウォーカーの装置は、蒸気を放出する際に使用するための大きな水の容器を提供するが、冷たい霧の選択を提供してはいない。
【０００７】
ブリアンの「電気的に加熱された顔サウナの蒸気発生装置」は、ウォーカーと同様に、大きな容器の蒸気発生顔マッサージ装置を開示する。ウォーカーと同様に、ブリアンは冷たい霧のイオンを、（熱い蒸気に加えて）マッサージヘッドを通して顔に適用するために発生させることを提案していない。熱い又は冷たい霧を、マッサージヘッドを通して供給できるようにする能力により、マッサージヘッドと肌を温めたり冷やしたりしながら、使用者は顔のマッサージを続けることができる。もし蒸気を供給する選択肢しかなければ、顔が心地悪く熱くなった場合に、使用者はマッサージを止めるか、蒸気の供給を止めるかしなくてはならない。
【０００８】
顔のマッサージ又はトリートメントの分野では、以下の文献が発見され、関係があると考えられる。リン（Ｉ）、米国特許第６，１５５，９９５、リン（ＩＩ）、米国特許第７，６３７，８７８、リン（ＩＩＩ）、米国特許出願公開第２００５／０２５６４３３、フェルトン、米国特許第３，６０２，２１７、及びシェン、米国特許出願公開第２００５／０２４０１６２。すべて、使用者の顔の上方及び目の領域を処置するためのマスク状の装置に関する。
【０００９】
リン（Ｉ）は、「多機能アイマスクの構造」を開示する。リン（Ｉ）の装置は、使用者の顔に熱と振動を接触させる空気注入式のフェイスマスクを有する。使用者の顔に冷たい又は加熱された霧を発生させて適用する設備はない。
【００１０】
リン（ＩＩ）は、「拡張可能なボディを有する多機能のアイマッサージ装置」を開示する。リン（ＩＩ）のようなそれは、直接的な熱の適用と振動を伴う空気注入式のアイマスクを含むが、ミスト又は霧を導入することは提案していない。
【００１１】
リン（ＩＩＩ）は、「遠心分離式の回転電源要素及びこれを用いたマッサージ装置」を紹介する。親出願と同様、目の領域にミスト又は霧を導入することを開示又は暗示してはいない。
【００１２】
フェルトンは、使用者の片目を洗浄するための「目のトリートメント装置」を開示する。フェルトンの装置は、霧又はミストの使用を提案せず、熱又は振動によるマッサージも導入しない。
【００１３】
最後に、シェンは目の領域に液体の霧を導入することを意図した装置を開示する。シェンの「目のトリートメント装置」は、実際には使用者の目をきれいにし、殺菌され、霧化された液体を目に適用することで、使用者の（目の中にある）コンタクトレンズを消毒するものである。そのようなシェンの装置では、目の洗浄に焦点が当てられており、振動マッサージや加熱されたミスト又は霧、あるいは使用者の顔の領域に対する直接的な熱の使用に関しては提案されていない。
【発明の概要】
【発明が解決しようとする課題】
【００１４】
先行する装置及び方法に関する上記の問題に照らして、本発明の目的は、顔の目の領域のためのパーソナルケア噴霧装置を提供することにある。装置は、装置が顔の目の領域に位置された際に、使用者の目と周囲の顔の領域を囲み、装置内に形成されるトリートメントチャンバ（処置室）を提供する。装置は、トリートメントチャンバに治療的なミスト又は霧を導入する。柔らかなジェル（又は他の柔らかい封止材）のアイマスク要素は、使用者の顔に係合して、トリートメントの間に装着者に最大の快適さを提供し、また、凝縮された霧又はミストを含んでいる。ミスト又は霧は、単なる水又は水と他の治療的な添加物との混合物を収容する内側の容器から発生されることが好ましい。ミスト又は霧をトリートメントチャンバに流入させる速さを制御するために、内蔵の送風機が設けられていてもよい。トリートメントチャンバの壁を直接的に加熱するため、及び／又はミスト又は霧を、トリートメントチャンバに導入される前に加熱するため、一以上の内蔵の加熱要素もまた、装置内に分散されていてもよい。装置はまた、駆動された際、使用者の顔をマッサージする動きを穏やかにするように設計された内蔵の振動発生器を装備していてもよい。
【課題を解決するための手段】
【００１５】
新規であると信じる本発明の目的及び特徴は、添付のクレームにて詳細に述べられる。本発明は、その機構及び操作方法の両方とも、さらなる課題及び効果とともに、付随する図面に関連する以下の記載を参照することで、よく理解されるだろう。
【図面の簡単な説明】
【００１６】
【図１】本発明に係る顔の目の領域用パーソナルケア噴霧装置の好ましい実施形態の斜視図である。
【図２】図１の装置のマスクアセンブリの斜視図である。
【図３】図１の措置の手に持てるコントロールアセンブリの上面図である。
【図４】図２のマスクアセンブリの部分的な展開斜視図である。
【図５】図１の装置のガスケットと後方ハウジング部材の上部斜視図である。
【図６】図１の装置の後方ハウジング部材の上面図である。
【図７】図１の装置の後方ハウジング部材の部分右方斜視図である。
【図８】図１の装置の後方ハウジング部材の部分左方斜視図である。
【図９】図１の装置の後方ハウジング部材に分散された液体貯留部品の部分斜視図である。
【図１０】図１の装置の後方ハウジング部材の底面図である。
【発明を実施するための形態】
【００１７】
以下の記載は、当業者の誰もが本発明を製造し、使用することができるように提供され、発明を実施する発明者によって熟考されたベストモードについて述べる。しかしながら、様々な変更は、当業者にとって、たやすく明らかであろう。本発明の包括的な原則が、顔の目の領域用パーソナルケア噴霧装置を提供するため、具体的に規定されているからである。
【００１８】
本発明は、図１を最初に考慮することでもっともよく理解される。この開示を通して、四角い括弧でくくられた要素の番号は、参照される要素がその図面には表れていないが、別の図面のどこかに表れているものである。
図１は、本発明の顔の目の領域用パーソナルケア噴霧装置１０の好ましい実施形態の斜視図である。装置１０には、二つの主な構成要素があり、マスクアセンブリ１７と、手に持てるコントロールアセンブリ１５である。これらの二つのアセンブリ１７、１５は、この型では、コントロールケーブル１９によって相互に接続されている。しかし、他の型では、ワイヤレスの相互接続が簡単に実装されてもよい。さらに、別の代替的な型では、コントロールアセンブリ１５に設けられた使用者コントロール機構が、別体の構成要素及びケーブルを取り除くため、マスクアセンブリ１７に一体化されてよい。
【００１９】
ストラップ又は他の柔軟な要素２１が、マスクアセンブリ１７を使用者の顔に固定する目的で、マスクアセンブリ１７から延びる。人は装飾的又は保護用のマスクを着用してもよい。マスクアセンブリ１７の機能的な構成要素は、メインハウジング１２内に含まれている。以下により詳細に述べられるように、柔軟でしなりやすい素材で形成された注ぎ口蓋１６を持ち上げることで、使用者は液体をマスクアセンブリ１７に補充する。図２に移って、私たちは装置をより詳細に検討することができる。
【００２０】
図２は図１の装置［１０］のマスクアセンブリ１７の斜視図である。柔軟な（ネオプレン又は他の素材）ガスケット部材２２が、ハウジング１２の背面側（すなわち、マスクアセンブリが取り付けられる使用者の顔に対向する側）に取り付けられている。メインハウジング１２の内部の構成要素は、フロントカバーの下に見付けられる。フロントカバー２０は、内部に形成される注ぎ口３３を有する。上述の通り、使用者は注ぎ口３３を介してメインハウジング１２に液体を注ぐか又は注入する。以下により詳細に述べられるように、メインハウジング１２に含まれる容器内に液体がどのくらいあるかを見るために、概ね透明な液体高さ窓２６が、フロントカバー２０に形成される。
【００２１】
注ぎ口３３は、注ぎ口蓋１６から延びる注ぎ栓３５によって、注がれないときは封止されている。この型では、注ぎ栓３５は注ぎ口蓋１６の構成と一体になっており、このため、同一の柔軟な素材で形成される。図３は、装置［１０］の他の主要な構成要素の特徴に光を当てる。
【００２２】
図３は、図１の装置［１０］の手で持てるコントロールアセンブリ１５の上面図である。アセンブリ１５は、ハウジング２４内に含まれ、外側表面に分散された複数のスイッチボタン６６を有する。これらのスイッチボタン６６は、従来のボタン又はタッチセンサー式のパッドであってよい。いずれの場合でも、汚染された物質がハウジング２４に染み込まないように、これらは水が漏れないことが求められる。
【００２３】
電源スイッチ６６Ａは、装置［１０］を駆動又は停止させるために用いられる。マッサージコントロールスイッチボタン６６Ｂは、内部のマッサージ振動構成をオン又はオフにするとともに、振動の強さ（低い又は高い）を選択するために用いられる。熱コントロールスイッチボタン６６Ｃは、内部のヒーターをオン及びオフにし、また、強さを選択するために用いられる。装置は、ミストもしくは霧、又はトリートメントチャンバの壁、あるいはその両方を加熱するために構成されてよい。ミストコントロールスイッチボタン６６Ｄは、マスクアセンブリ［１７］内の超音波噴霧器（又はイオン要素のような、水を噴霧する他の方法）を駆動することに用いられ、冷たい（又は暖かい）霧化された液体が、マスク［１７］内のトリートメントチャンバに導入される。
【００２４】
他のコントロールボタンは、（代替的な実施形態における）以下の構成のために設けられてもよい。中でも特に、空気流入コントロールや、霧を加熱することと、トリートメント領域を加熱することとを分離するコントロール、光の雰囲気コントロール、音／音楽コントロールが挙げられる。
【００２５】
この型［１０］は、手で持てるコントロールアセンブリ１５内に再充電可能なバッテリーが設けられる。これらのバッテリーは、必要に応じて交換される。代替的な形式では、装置［１０］は、電源コードから電源を受け取ってもよい。図４は、マスクアセンブリ［１７］の内側の構成要素を紹介する。
【００２６】
図４は、図２のマスクアセンブリ１７の部分的に展開された斜視図である。メインハウジング１２は、後方ハウジング２８及びその構成要素と、フロントカバー２０とにより構成されている。ガスケット部材２２は、後方ハウジング部材２８の後ろ側に取り付けられる。この型では、注ぎ口蓋１６（及び注ぎ口栓［３３］）は、ガスケット部材２２と一体の部分になっている。フロントカバー２０は、概ね不透明であるが、フロントカバーに組み込まれる（又は単に開口する）透明又は光透過性素材の液体高さ窓２６が形成される。注ぎアクセス開口３０は、そこから注ぎ口［３３］がアクセスできるように設けられる。典型的には、装置［１０］の電気機器の制御は、ここに示されるように単一のプリント基板であるが、他の従来のアプローチも、用いられてよい。矢印で示されるように、フロントカバー２０は、後方ハウジング部材２８に取り付けられた機能的な構成要素の上から取り付けられる。これらの構成要素は、図５〜９に関連してより詳細に述べられる。
【００２７】
図５は、図１の装置［１０］のガスケット２２及び後方ハウジング部材２８の斜視図である。後方ハウジング部材２８は、内部のトリートメントチャンバ１４を規定する。マスクアセンブリ［１７］が使用者の頭に取り付けられた際、治療的なミスト又は霧が、この領域に噴射される。これまでに述べたように、ガスケット部材２２及び注ぎ口蓋１６は、後方ハウジング部材２８の後ろ側で内側に取り付けられる単一の柔軟な素材で成型されている。図６に表されるように、上から見ると、トリートメントチャンバ１４は端から端まで長く、底壁に形成されて使用者の鼻（実際には鼻筋の領域）を配置できるような窪み３６を有する。このため、トリートメントチャンバの裏面は、（ガスケット部材［２２］を介して）実質的にすべての潜在的な使用者の顔に近く形成される。また、前壁３８からトリートメントチャンバ１４側へ延びる加熱要素４２がここに示されている。この要素を駆動すると、トリートメントチャンバ１４の内側を温める。ミストの導管（図示せず）も、この又は他の加熱要素を通過してよく、（この要素４２により、又はミストの導管（図示せず）専用の別の要素を介して）流入するミストも加熱される。図７、８及び９は、マスクアセンブリ［１７］の内部に関する追加的な詳細を提供する。
【００２８】
図７は、後方ハウジング部材２８の部分的な右方斜視図であり、図８は、後方ハウジング部材２８の部分的な左方斜視図である。第１及び第２のマッサージアセンブリ４４Ａ、及び４４Ｂは、後方ハウジング部材２８の左右の角に取り付けられる（類似する構成の追加的なアセンブリが、マスクアセンブリ［１７］のどこかに配置されてもよい）。これらのアセンブリ４４Ａ，４４Ｂは、作動されると振動を発生させる。これらの振動は、使用者が顔の領域の上部で穏やかに振動する感覚を感じるように、後方ハウジング部材２８からガスケット部材［２２］へ伝えられる。
【００２９】
マッサージアセンブリ４４Ａ，４４Ｂのそれぞれは、回転軸を有する電気的マッサージモータ４５Ａ，４５Ｂを含み、電気的マッサージモータ４５Ａ，４５Ｂにオフセット重さ要素４８Ａ，４８Ｂが取り付けられている。オフセット重さ要素４８Ａ，４８Ｂは、この名前に示されるように、重量がモータ４５Ａ，４５Ｂのシャフトの回転軸の周りに対称にかかっていない。モータ４５Ａ，４５Ｂがシャフトを回転させるように駆動されると（例えば方向「Ｒ」に）、重さ要素４８Ａ，４８Ｂの回転が振動を発生させる。上述のように、これらの振動は、後方ハウジング部材２８及びガスケット部材［２２］を通り、使用者の肌へ伝えらえる。
【００３０】
図９及び１０に移って、装置がミストを発生させ、トリートメントチャンバ１４に導入する方法を観察する。図９は、図１の装置［１０］の後方ハウジング部材２８に分散された液体貯留要素の部分的な斜視図である。液体チャンバ３２は、後方ハウジング部材２８の中央上面領域に取り付けられる。注ぎ口３３（開口）は、チャンバ３２の上部に形成され、これまでに述べたように、注ぎ栓３５及び注ぎ口蓋１６によって封止可能である。
【００３１】
フロントカバー［２０］が後方ハウジング部材２８に取り付けられると、注ぎ口３３は、注ぎアクセス開口［３０］と並ぶ。この型では、超音波変換器３４（又は他の流体霧化装置）が液体チャンバ３２の底面に配置されている。変換器３４は、駆動されると、チャンバ３２内の液体を非常に高い周波数で液体が霧化するまで撹拌する。液体は単なる水でもよく、又は、エッセンシャルオイルや、化学的又は他のサプリメントが混合された水でもよい。他の型では（描写せず）、イオン振動及び／又はナノテクノロジーのような液体を霧化させる他の方法が用いられてもよい。
【００３２】
液体高さチャンバ５０は、液体チャンバ３２の主な領域から延びる。このチャンバ５０は、フロントカバー［２０］の内側の形状に協働する前面側に、弧状の形状を有する。フロントカバー［２０］が後方ハウジング部材２８に取り付けられるとき、液体高さチャンバ５０はフロントカバー［２０］に形成された液体高さ窓［２６］を通して見ることができる。
【００３３】
一つ以上のミスト穴４６がトリートメントチャンバ１４の屋根１８を通って形成されている。冷たい又は暖かい霧又はミストが、穴４６を通ってトリートメントチャンバ１４に導入される。この型では、ミストをチャンバ１４の中に直接的に発生させるように、変換器３４（及び液体チャンバ［３２］）がミスト穴４６の上に直接的に配置されている。他の型では、親出願で開示されたようなミスト導管が用いられてもよい。
【００３４】
当業者は、たった今説明された好ましい実施形態の様々な適用や変更が本発明の範囲及び精神を離れずに構成されてよいことを認めるだろう。このため、添付のクレームの範囲で、発明がここに具体的に述べられるもの以外に実施されてよいことが理解される。
【図１】
2015037531.tif 000003
【図２】
2015037531.tif 000004
【図３】
2015037531.tif 000005
【図４】
2015037531.tif 000006
【図５】
2015037531.tif 000007
【図６】
2015037531.tif 000008
【図７】
2015037531.tif 000009
【図８】
2015037531.tif 000010
【図９】
2015037531.tif 000011
【図１０】
2015037531.tif 000012
【外国語明細書】
2015037531000001.pdf
2015037531000002.pdf
2015037531000003.pdf
2015037531000004.pdf